(57)【要約】【課題】ランプを効果的に冷却する上で有利なプロジェクタ装置用の光源装置およびプロジェクタ装置を提供する。【解決手段】前方から導風部材９６に空気が送り込まれる。第１の流路形成用開口９０Ａから導入された空気は、接続部７００４に向かう冷却用空気の空気流となる。第２の流路形成用開口９０Ｂから導入された空気は、スカート部８２の内側に位置する軸部７００２Ｂの内部で封着金属箔７４Ｂとリード線７６Ｂとが接続された箇所に向かう冷却用空気の空気流となる。第３の流路形成用開口９０Ｃから導入された空気は、スカート部８２の内側に位置する軸部７００２Ｂから突出するリード線７６Ｂの端部と給電部材７８Ｂとが接続された箇所に向かう冷却用空気の空気流となる。【選択図】図３
2010129350.tif 000002
【特許請求の範囲】
【請求項１】
ランプ装置と、このランプ装置を収容するハウジングとを備え、
前記ランプ装置は、ランプと、レフレクタとを備え、
前記ランプは、
一対の軸部と、前記一対の軸部の端部間を接続し内部に密閉空間が形成された接続部とを有するガラス材料からなる放電容器と、
前記密閉空間において対向するように配置され放電により光を発する一対の電極と、
前記一対の電極にそれぞれ電気的に接続され前記一対の軸部にそれぞれ埋設された２つの封着金属箔と、
一端が前記軸部の内部で前記２つの封着金属箔にそれぞれ電気的に接続され、かつ、他端が前記一対の軸部の外側に露出するようにそれぞれ設けられた２つのリード線と、
前記２つのリード線の他端にそれぞれ電気的に接続された２つの給電部材とを備え、
前記レフレクタは、
前記一対の軸部のうちの一方の軸部を収容保持するネック部と、
前記ネック部から前記接続部および前記一対の軸部のうちの他方の軸部を囲むように延在し内面に反射面が形成されたスカート部とを備え、
前記ハウジングは、
前記ランプに向けて冷却用空気を導入する導入口と、
前記ランプを冷却したのちの前記冷却用空気である排出用空気を前記ハウジング外に排出する排出口とを備え、
前記導入口は、
前記接続部に向かう前記冷却用空気の空気流を作る第１の流路形成用開口と、
前記他方の軸部の内部で前記封着金属箔と前記リード線とが接続された箇所に向かう前記冷却用空気の空気流を作る第２の流路形成用開口と、
前記他方の軸部から露出する前記リード線の端部と前記給電部材とが接続された箇所に向かう前記冷却用空気の空気流を作る第３の流路形成用開口とを有している、
プロジェクタ装置用の光源装置。
【請求項２】
前記ハウジングに取り付け用開口が形成され、
前記ハウジング外の空気を前記冷却用空気として前記ハウジング内に導く導風部材が前記取り付け用開口を囲むよう前記ハウジングに取り付けられ、
前記導入口は前記取り付け用開口に位置する前記導風部材の箇所に設けられている、
請求項１記載のプロジェクタ装置用の光源装置。
【請求項３】
前記第１乃至第３の流路形成用開口の少なくとも１つは、その開口の縁に設けられた冷却用空気の空気流の流れを安定化させる導風片を含んで構成されている、
請求項１記載のプロジェクタ装置用の光源装置。
【請求項４】
光源装置と、
前記光源装置からの光を波長領域が異なる複数の光に分離する分離部と、
前記分離部で分離された前記光毎に設けられそれら光を画像情報に応じて変調して出射する複数の光変調器と、
前記複数の光変調器からの光を合成する光合成部と、
前記光合成部から出射された光をスクリーンに投射させる投射光学系とを備え、
前記光源装置は、
ランプ装置と、このランプ装置を収容するハウジングとを備え、
前記ランプ装置は、ランプと、レフレクタとを備え、
前記ランプは、
一対の軸部と、前記一対の軸部の端部間を接続し内部に密閉空間が形成された接続部とを有するガラス材料からなる放電容器と、
前記密閉空間において対向するように配置され放電により光を発する一対の電極と、
前記一対の電極にそれぞれ電気的に接続され前記一対の軸部にそれぞれ埋設された２つの封着金属箔と、
一端が前記軸部の内部で前記２つの封着金属箔にそれぞれ電気的に接続され、かつ、他端が前記一対の軸部の外側に露出するようにそれぞれ設けられた２つのリード線と、
前記２つのリード線の他端にそれぞれ電気的に接続された２つの給電部材とを備え、
前記レフレクタは、
前記一対の軸部のうちの一方の軸部を収容保持するネック部と、
前記ネック部から前記接続部および前記一対の軸部のうちの他方の軸部を囲むように延在し内面に反射面が形成されたスカート部とを備え、
前記ハウジングは、
前記ランプに向けて冷却用空気を導入する導入口と、
前記ランプを冷却したのちの前記冷却用空気である排出用空気を前記ハウジング外に排出する排出口とを備え、
前記導入口は、
前記接続部に向かう前記冷却用空気の空気流を作る第１の流路形成用開口と、
前記他方の軸部の内部で前記封着金属箔と前記リード線とが接続された箇所に向かう前記冷却用空気の空気流を作る第２の流路形成用開口と、
前記他方の軸部から露出する前記リード線の端部と前記給電部材とが接続された箇所に向かう前記冷却用空気の空気流を作る第３の流路形成用開口とを有している、
プロジェクタ装置。
【発明の詳細な説明】
【技術分野】
【０００１】
本発明はプロジェクタ装置用の光源装置およびプロジェクタ装置に関する。
【背景技術】
【０００２】
光源装置からの光を赤色、緑色、青色の光に分離し、分離されたそれぞれの光を３つの光変調器を用いて画像情報によって変調させ、各光変調器から出射される光を合成してスクリーンに投射させるプロジェクタ装置がある。
上記光源装置として、ランプおよびレフレクタを有するランプ装置と、このランプ装置を収容するハウジングとを備えたものが提供されている。
この場合、ランプとして高出力の放電ランプが用いられており、この種のランプは動作に伴い高温となることから、ランプに冷却用の空気を当てて冷却することがランプの輝度を確保し、また、ランプの寿命を延ばす上で必要となる。
そこで、レフレクタの内側に冷却用の空気を導入するための吸気および排気用の通気口をハウジングに設けた光源装置が提案されている（特許文献１）。
【特許文献１】特開２００２−２１６５３６号公報
【発明の開示】
【発明が解決しようとする課題】
【０００３】
しかしながら、ランプの輝度の確保と長寿命化をより一層図るためには、ランプをより効果的に冷却することが必要である。
そのため、ランプのうち特に重点的に冷却することが好ましい箇所を簡単な構成でより効果的に冷却することが求められている。
本発明はこのような事情に鑑みなされたものであり、その目的は、ランプを効果的に冷却する上で有利なプロジェクタ装置用の光源装置およびプロジェクタ装置を提供することにある。
【課題を解決するための手段】
【０００４】
上述の目的を達成するため、本発明のプロジェクタ装置用の光源装置は、ランプ装置と、このランプ装置を収容するハウジングとを備え、前記ランプ装置は、ランプと、レフレクタとを備え、前記ランプは、一対の軸部と、前記一対の軸部の端部間を接続し内部に密閉空間が形成された接続部とを有するガラス材料からなる放電容器と、前記密閉空間において対向するように配置され放電により光を発する一対の電極と、前記一対の電極にそれぞれ電気的に接続され前記一対の軸部にそれぞれ埋設された２つの封着金属箔と、一端が前記軸部の内部で前記２つの封着金属箔にそれぞれ電気的に接続され、かつ、他端が前記一対の軸部の外側に露出するようにそれぞれ設けられた２つのリード線と、前記２つのリード線の他端にそれぞれ電気的に接続された２つの給電部材とを備え、前記レフレクタは、前記一対の軸部のうちの一方の軸部を収容保持するネック部と、前記ネック部から前記接続部および前記一対の軸部のうちの他方の軸部を囲むように延在し内面に反射面が形成されたスカート部とを備え、前記ハウジングは、前記ランプに向けて冷却用空気を導入する導入口と、前記ランプを冷却したのちの前記冷却用空気である排出用空気を前記ハウジング外に排出する排出口とを備え、前記導入口は、前記接続部に向かう前記冷却用空気の空気流を作る第１の流路形成用開口と、前記他方の軸部の内部で前記封着金属箔と前記リード線とが接続された箇所に向かう前記冷却用空気の空気流を作る第２の流路形成用開口と、前記他方の軸部から露出する前記リード線の端部と前記給電部材とが接続された箇所に向かう前記冷却用空気の空気流を作る第３の流路形成用開口とを有している。
また本発明のプロジェクタ装置は、光源装置と、前記光源装置からの光を波長領域が異なる複数の光に分離する分離部と、前記分離部で分離された前記光毎に設けられそれら光を画像情報に応じて変調して出射する複数の光変調器と、前記複数の光変調器からの光を合成する光合成部と、前記光合成部から出射された光をスクリーンに投射させる投射光学系とを備え、前記光源装置は、ランプ装置と、このランプ装置を収容するハウジングとを備え、前記ランプ装置は、ランプと、レフレクタとを備え、前記ランプは、一対の軸部と、前記一対の軸部の端部間を接続し内部に密閉空間が形成された接続部とを有するガラス材料からなる放電容器と、前記密閉空間において対向するように配置され放電により光を発する一対の電極と、前記一対の電極にそれぞれ電気的に接続され前記一対の軸部にそれぞれ埋設された２つの封着金属箔と、一端が前記軸部の内部で前記２つの封着金属箔にそれぞれ電気的に接続され、かつ、他端が前記一対の軸部の外側に露出するようにそれぞれ設けられた２つのリード線と、前記２つのリード線の他端にそれぞれ電気的に接続された２つの給電部材とを備え、前記レフレクタは、前記一対の軸部のうちの一方の軸部を収容保持するネック部と、前記ネック部から前記接続部および前記一対の軸部のうちの他方の軸部を囲むように延在し内面に反射面が形成されたスカート部とを備え、前記ハウジングは、前記ランプに向けて冷却用空気を導入する導入口と、前記ランプを冷却したのちの前記冷却用空気である排出用空気を前記ハウジング外に排出する排出口とを備え、前記導入口は、前記接続部に向かう前記冷却用空気の空気流を作る第１の流路形成用開口と、前記他方の軸部の内部で前記封着金属箔と前記リード線とが接続された箇所に向かう前記冷却用空気の空気流を作る第２の流路形成用開口と、前記他方の軸部から露出する前記リード線の端部と前記給電部材とが接続された箇所に向かう前記冷却用空気の空気流を作る第３の流路形成用開口とを有している。
【発明の効果】
【０００５】
本発明によれば、第１、第２、第３の流路形成用開口によりランプの特に重点的に冷却することが好ましい３箇所に冷却用空気の空気流が導かれるため、ランプを効果的に冷却する上で有利となる。
【発明を実施するための最良の形態】
【０００６】
次に、本発明の実施の形態について図面を参照して説明する。
図１は本実施の形態のプロジェクタ装置１０の構成を示す説明図、図２は本実施の形態のプロジェクタ装置１０の要部の構成を示す説明図である。
プロジェクタ装置１０は、図１に示すように、光源装置６０と、照明光学系１２と、分離部１４と、３つの光変調器１６Ｒ、１６Ｇ、１６Ｂと、光合成部１８と、位相差フィルム２０と、投射光学系２３などを含んで構成され、本発明は光源装置６０に適用されている。
また、プロジェクタ装置１０は、さらに、３つの入射側偏光板１５Ｒ、１５Ｇ、１５Ｂと、３つの出射側偏光板２２Ｒ、２２Ｇ、２２Ｂとを備えている。
これら光源装置１２、分離部１４、各入射側偏光板１５Ｒ、１５Ｇ、１５Ｂ、３つの光変調器１６Ｒ、１６Ｇ、１６Ｂ、光合成部１８、各出射側偏光板２２Ｒ、２２Ｇ、２２Ｂ、投射光学系２３は、図示しないフレームに従来公知の取り付け部材を介して取り付けられている。
【０００７】
（照明光学系１２）
照明光学系１２は、後述する光源装置６０からの光を分離部１４に向けて出射するものである。
照明光学系１２は、レンズ２４と、ＵＶカットフィルター２６と、フライアイレンズ２８と、ＰＳ変換素子３０と、コンデンサレンズ４５などを含んで構成されている。
レンズ２４は、光源装置６０の前方に配置され、光源装置６０の反射面８４（図３）で反射された出射光を平行光に変換して出射するものである。本実施の形態では、レンズ２４は凹レンズで構成されている。
ＵＶカットフィルター２６は、光源装置６０の前方に設けられ光源装置６０から出射される紫外線の通過を阻止するものである。
フライアイレンズ２８は、ＵＶカットフィルター２６の前方に設けられ、ＵＶカットフィルター２６を透過した光の照度分布を均一化することで、各光変調器１６Ｒ、１６Ｇ、１６Ｂの有効面積内を均一に照明させるものである。
本実施の形態では、複数のフライアイレンズ２８が設けられている。
ＰＳ変換素子３０は、フライアイレンズ２８によって導かれた光の偏光方向を所定方向に揃えるものであり、具体的には、光の偏光成分のうちＳ波（Ｓ偏光の直線偏光）はそのまま透過させ、Ｓ波以外の偏光成分をＳ波に変換させて透過させるものである。
【０００８】
（分離部１４）
分離部１４は、照明光学系１２からの光を波長領域が異なるＲ（赤色）の光、Ｇ（緑色）の光、Ｂ（青色）の光に分離するものであり、言い換えると、照明光学系１２からの光を波長領域が異なる赤色、緑色、青色の光に分離するものである。
分離部１４は、第１、第２、第３のダイクロイックフィルター３２、３４、３５、第１、第２、第３の反射ミラー３６、３８、４０を含んでいる。
本実施の形態では、第１、第２のダイクロイックフィルター３４、３６はダイクロイックミラーとして構成され、第３のダイクロイックフィルター３５は、後述するコンデンサレンズ４６の出射面に形成されたダイクロイックコートによって構成されている。
【０００９】
第１のダイクロイックフィルター３２は、照明光学系１２から導かれた光のうち青色の波長領域の光を選択的に反射すると共に、青色の波長領域を除く残りの光、言い換えると、緑色および赤色の波長領域を含む光を透過する。
第２のダイクロイックフィルター３４は、第１のダイクロイックフィルター３２を透過した光のうち緑色の波長領域の光を選択的に反射して緑チャンネル入射側偏光板１５Ｇを介して緑チャンネル光変調器１６Ｇに導くと共に、赤色の波長領域の光を含む残りの光を透過する。
第３のダイクロイックフィルター３５は、第２のダイクロイックフィルター３４を透過した光のうち赤色の波長領域の光を選択的に透過するものである。
【００１０】
第１の反射ミラー３６は、第１のダイクロイックフィルター３２で分離された青色の波長領域の光Ｂを反射して後述する青チャンネル入射側偏光板１５Ｂを介して青チャンネル光変調器１６Ｂに導くものである。
第２の反射ミラー３８は、第２のダイクロイックフィルター３４で分離された赤色の波長領域の光を含む光を反射して第３の反射ミラー４０に導くものである。
第３の反射ミラー４０は、第２反射ミラー３８によって導かれた赤色の波長領域の光を含む光を第３のダイクロイックフィルター３５と後述する赤チャンネル入射側偏光板１５Ｒを介して赤チャンネル光変調器１６Ｒに導くものである。
なお、図中、符号４２、４４は光Ｒについての光路長の補正を行うリレーレンズ、符号４６、４８、５０は光Ｒ、光Ｇ、光Ｂをそれぞれ収束するコンデンサレンズを示す。
なお、分離部１４は照明光学系１２からの光を赤色、緑色、青色の光に分離できればよいのであり、上述の構成に限定されるものではなく、従来公知のさまざまな構成が採用可能である。
【００１１】
（光変調器１６Ｒ、１６Ｇ、１６Ｂ）
各光変調器１６Ｒ、１６Ｇ、１６Ｂは、分離部１４で分離された光Ｒ、光Ｇ、光Ｂ毎に設けられている。
すなわち、赤色の光Ｒに対応して赤チャンネル光変調器１６Ｒが設けられ、緑色の光Ｇに対応して緑チャンネル光変調器１６Ｇが設けられ、青色の光Ｂに対応して青チャンネル光変調器１６Ｂが設けられている。
各光変調器１６Ｒ、１６Ｇ、１６Ｂは、各入射側偏光板１５Ｒ、１５Ｇ、１５Ｂを介して導かれる光の偏光状態を画像情報に応じて変換して透過させ、言い換えると、光の偏光状態を画像情報に応じて調整して透過させ、これにより、画像情報に応じて光を変調するものである。
詳細に説明すると、各光変調器１６Ｒ、１６Ｇ、１６Ｂは、赤色、緑色、青色の３色の画像情報をそれぞれ表示するものである。
各光変調器１６Ｒ、１６Ｇ、１６Ｂは、入射光に対応した色の映像信号が印加され、映像信号に従い、入射光の偏光方向を変換して透過させるものである。
言い換えると、各光変調器１６Ｒ、１６Ｇ、１６Ｂは、入射光をＳ偏光からＰ偏光に変換して変調出力するものである。
なお、各光変調器１６Ｒ、１６Ｇ、１６Ｂは入力される映像信号が白である場合（最も明るい場合）、入射光の偏光方向をＳ偏光からＰ偏光に変換して透過させる。また、各光変調器１６Ｒ、１６Ｇ、１６Ｂは入力される映像信号が黒である場合（最も暗い場合）、入射光の偏光方向をＳ偏光のまま透過させる。
本実施の形態では、各光変調器１６Ｒ、１６Ｇ、１６Ｂは、透過型液晶パネルで構成されている。
なお、各光変調器１６Ｒ、１６Ｇ、１６Ｂは、透過型液晶パネルに限定されるものではなく、光を画像情報によって変調して出射するものであればよい。
したがって、各光変調器として、反射型液晶パネルや、多数の微小な反射ミラーを用いたＤＭＤ（Digital Micro mirror Device：デジタル・マイクロミラー・デバイス）など従来公知のさまざまな空間変調器が採用可能である。
【００１２】
（各入射側偏光板１５Ｒ、１５Ｇ、１５Ｂ）
各入射側偏光板１５Ｒ、１５Ｇ、１５Ｂは、各光変調器１６Ｒ、１６Ｇ、１６Ｂに対応して分離部１４と光変調器との間に設けられ、分離部１４で分離された光Ｒ、光Ｇ、光Ｂの偏光成分をＳ波に揃えるものである。
すなわち、赤チャンネル光変調器１６Ｒに対応して赤チャンネル入射側偏光板１５Ｒが設けられ、緑チャンネル光変調器１６Ｇに対応して緑チャンネル入射側偏光板１５Ｇが設けられ、青チャンネル光変調器１６Ｂに対応して青チャンネル入射側偏光板１５Ｂが設けられている。
なお、ＰＳ変換素子３０により光Ｒ、光Ｇ、光Ｂの偏光成分はＳ波に揃えられているが、分離部１４を構成するミラーやレンズを通過することで光Ｒ、光Ｇ、光Ｂの偏光成分には乱れが生じＳ波でないものを含んでいる。
したがって、各入射側偏光板１５Ｒ、１５Ｇ、１５Ｂを用いることで光Ｒ、光Ｇ、光Ｂの偏光成分の乱れを除去しＳ波に揃えている。
【００１３】
（出射側偏光板２２Ｒ、２２Ｇ、２２Ｂ）
各出射側偏光板２２Ｒ、２２Ｇ、２２Ｂは、各光変調器１６Ｒ、１６Ｇ、１６Ｂから出射される光Ｒ、光Ｇ、光Ｂの偏光成分のうちＰ波を透過させ、それ以外の透過を阻止すべき偏光成分を吸収するものである。
すなわち、赤チャンネル光変調器１６Ｒに対応して赤チャンネル出射側偏光板２２Ｒが設けられ、緑チャンネル光変調器１６Ｇに対応して緑チャンネル出射側偏光板２２Ｇが設けられ、青チャンネル光変調器１６Ｂに対応して青チャンネル出射側偏光板２２Ｂが設けられている。
赤チャンネル出射側偏光板２２Ｒは、赤チャンネル光変調器１６Ｒと第１の入射面１８０２との間にそれぞれ空間Ｓ１、Ｓ２を確保した状態で配置され、本実施の形態では、後述する位相差フィルム２０との間に空間Ｓ２を介して対面している。
緑チャンネル出射側偏光板２２Ｇは、緑チャンネル光変調器１６Ｇと第２の入射面１８０４との間にそれぞれ空間Ｓ１、Ｓ２を確保した状態で配置されている。
青チャンネル出射側偏光板２２Ｂは、青チャンネル光変調器１６Ｂと第３の入射面１８０６との間にそれぞれ空間Ｓ１、Ｓ２を確保した状態で配置され、本実施の形態では、後述する位相差フィルム２０との間に空間Ｓ２を介して対面している。
【００１４】
（光合成部１８）
本実施の形態では、光合成部１８は、図２に示すように、光合成プリズム１８Ａで構成されている。
光合成プリズム１８Ａは、第１、第２、第３の入射面１８０２、１８０４、１８０６と、第１、第２のダイクロイックミラー膜１８１０、１８１２と、出射面１８０８とを有している。
第１、第３の入射面１８０２、１８０６は平行し、第２の入射面１８０４と出射面１８０８とは第１、第３の入射面１８０２、１８０６と直交しかつ互いに平行している。
第１、第２のダイクロイックミラー膜１８１０、１８１２は、互いに直交し、かつ、第１、第２、第３の入射面１８０２、１８０４、１８０６、出射面１８０８と４５度をなして交差している。
第１の入射面１８０２は、赤チャンネル光変調器１６Ｒから透過された光Ｒが入射される。
第２の入射面１８０４は、緑チャンネル光変調器１６Ｇから透過された光Ｇが入射される。
第３の入射面１８０６は、青チャンネル光変調器１６Ｂから透過された光Ｂが入射される。
第１、第２のダイクロイックミラー膜１６１０、１６１２は、光Ｒ、光Ｇ、光Ｂをそれらの光の波長領域毎に反射または透過することにより合成するものである。
具体的には、第１のダイクロイックミラー膜１６１０は、Ｐ波は波長にかかわらず透過し、Ｓ波のうち赤色の波長領域の光のみ反射し、Ｓ波のうち赤色の波長領域を除く光は透過する。
第２のダイクロイックミラー膜１６１２は、Ｐ波は波長にかかわらず透過し、Ｓ波のうち青色の波長領域の光のみ反射し、Ｓ波のうち青色の波長領域を除く光は透過する。
出射面１８０８は、第１、第２のダイクロイックミラー膜１８１０、１８１２によって合成された光を出射する。
【００１５】
（位相差フィルム２０）
位相差フィルム２０は、第１、第２、第３の入射面１８０２、１８０４、１８０６のうちの少なくとも１つの入射面に貼り付けられ直線偏光の偏光方向を変換するものである。
なお、位相差フィルム２０の入射面への貼り付けは、例えば、位相差フィルム２０の裏面に形成された接着層を用いることでなされる。
このような位相差フィルム２０の構成としては、例えば、ＴＡＣ（トリアセチルセルロース）とＰＶＡ（ポリビニルアルコール）とを積層し、表面にプロテクトフィルムとしてのＰＥＴ（ポリエチレンテレフタレート）を形成したものなど、従来公知のさまざまな構成のものが採用可能である。
位相差フィルム２０は第１、第３の入射面１８０２、１８０６の２つの入射面に貼り付けられており、Ｐ偏光をＳ偏光に変換する。
【００１６】
（投射光学系２３）
投射光学系２３は、光合成部１８から（光合成プリズム１８Ａの出射面１８０８から）出射された光をスクリーンＳに照射することにより、スクリーンＳに画像を形成するものである。
【００１７】
次に動作について説明する。
照明光学系１２から出射された光は、分離部１４によって光Ｒ、光Ｇ、光Ｂに分離される。
光Ｒは、第１の入射側偏光板１５Ｒを介して赤チャンネル光変調器１６Ｒに導かれ変調されたのち、赤チャンネル出射側偏光板２２Ｒを介して位相差フィルム２０に至る。
そして、光Ｒは、位相差フィルム２０で直線偏光の偏光方向がＰ偏光からＳ偏光に変換されたのち、第１の入射面１８０２から第１、第２ダイクロイックミラー１８１０、１８１２に導かれる。
したがって、Ｓ波としての光Ｒは、第１のダイクロイックミラー膜１８１０により反射され、また、第２のダイクロイックミラー膜１８１２を透過することで出射面１８０８から投射光学系２３に導かれる。
【００１８】
光Ｇは、第２の入射側偏光板１５Ｇを介して緑チャンネル光変調器１６Ｇに導かれ変調されたのち、緑チャンネル出射側偏光板２２Ｇを介して偏光方向がＰ波に揃えられた状態で第２の入射面１８０４から第１、第２ダイクロイックミラー１８１０、１８１２に導かれる。
したがって、Ｐ波としての光Ｇは、第１、第２ダイクロイックミラー１８１０、１８１２の双方を透過することで出射面１８０８から投射光学系２３に導かれる。
【００１９】
光Ｂは、青チャンネル入射側偏光板１５Ｂを介して青チャンネル光変調器１６Ｂに導かれ変調されたのち、青チャンネル出射側偏光板２２Ｂを介して位相差フィルム２０に至る。
そして、光Ｂは、位相差フィルム２０で直線偏光の偏光方向がＰ偏光からＳ偏光に変換されたのち、第３の入射面１８０６から第１、第２ダイクロイックミラー１８１０、１８１２に導かれる。
したがって、Ｓ波としての光Ｂは、第２のダイクロイックミラー膜１８１２により反射され、また、第１のダイクロイックミラー膜１８１０を透過することで出射面１８０８から投射光学系２３に導かれる。
【００２０】
（光源装置６０）
次に本発明の要旨である光源装置６０について説明する。
図３は光源装置６０の構成を示す説明図である。
図４はランプ装置６２の断面図、図５は図４のＡ矢視図である。
【００２１】
図３に示すように、光源装置６０は、ランプ装置６２と、ハウジング６４とを備えている。
ランプ装置６２は、ランプ６６と、レフレクタ６８とを備えている。
レフレクタ６８は、ネック部８０と、スカート部８２と、反射面８４とを有している。
【００２２】
（ランプ６６）
図３に示すように、ランプ６６は、放電容器７０と、一対の電極７２Ａ、７２Ｂと、２つの封着金属箔７４Ａ、７４Ｂと、２つのリード線７６Ａ、７６Ｂと、２つの給電部材７８Ａ、７８Ｂとを備えている。
本実施の形態では、ランプ６６は、超高圧水銀ランプで構成されている。
【００２３】
放電容器７０は、ガラス材料からなり、一対の軸部７００２Ａ、７００２Ｂと、一対の軸部７００２の端部間を接続し内部に密閉空間７００６が形成された接続部７００４とを有している。
密閉空間７００６には水銀と共にアルゴンガスやハロゲンガスなどのガスが封入されている。
放電容器７０を構成するガラス材料としては、例えば石英ガラスなど従来公知のさまざまなガラス材料が採用可能である。
【００２４】
一対の軸部７００２Ａ、７００２Ｂのうちの一方の軸部７００２Ａは、レフレクタ６８のネック部８０に挿通され、ネック部８０により保持されている。
一対の軸部７００２Ａ、７００２Ｂのうちの他方の軸部７００２Ｂと接続部７００４は、スカート部８２の内側に配置されている。
なお、スカート部８２はネック部８０から接続部７００４および他方の軸部７００２Ｂを囲むように延在している。
スカート部８２の内面に、一対の電極７２Ａ、７２Ｂから発せられた光をネック部８０とは反対の方向、すなわちスカート部８２の前方に向けて反射させる反射面８４が形成されている。
【００２５】
一対の電極７２Ａ、７２Ｂは、密閉空間７００６において同軸上で対向するように配置され放電により光を発するものである。
より詳細には、各電極７２Ａ、７２Ｂは、電極軸７２０２と、電極軸７２０２の端部に設けられた電極本体７２０４とからなり、それらの電極軸７２０２が一対の軸部７００２Ａ、７００２Ｂに埋設され、かつ、それらの電極本体７２０４が密閉空間７００６において対向するように配置されている。
一対の電極７２Ａ、７２Ｂを構成する材料としては、例えばタングステンなど従来公知のさまざまな金属材料が採用可能である。
【００２６】
２つの封着金属箔７４Ａ、７４Ｂは、一対の電極７２Ａ、７２Ｂにそれぞれ電気的に接続され一対の軸部７００２Ａ、７００２Ｂにそれぞれ埋設されている。
２つの封着金属箔７４Ａ、７４Ｂは、細幅で帯板状に延在し、その長手方向を軸部７００２の長手方向に平行させて軸部７００２Ａ、７００２Ｂに埋設されている。
２つの封着金属箔７４Ａ、７４Ｂの長手方向の一端に電極軸７００２が抵抗溶接によって接合されることで、２つの封着金属箔７４Ａ、７４Ｂは、電極７２Ａ、７２Ｂにそれぞれ電気的に接続されている。
【００２７】
２つのリード線７６Ａ、７６Ｂは、一端が軸部７００２Ａ、７００２Ｂの内部で２つの封着金属箔７４Ａ、７４Ｂの長手方向の他端にそれぞれ抵抗溶接により電気的に接続され、かつ、他端が一対の軸部７００２Ａ、７００２Ｂの外側に突出するようにそれぞれ設けられている。
【００２８】
２つの給電部材７８Ａ、７８Ｂのうち一方の給電部材７８Ａはネック部８０の後方に配置され、他方の給電部材７８Ｂはスカート部８２の前方に配置されている。
より詳細には、ネック部８０に埋設された軸部７００２Ａの端部に、リード線７６Ａに電気的に接続する口金７１が装着されている。一方の給電部材７８Ａはこの口金７１に設けられ、一方の給電部材７８Ａと一方のリード線７６Ａは電気的に接続されている。
また、２つの給電部材７８Ａ、７８Ｂのうち他方の給電部材７８Ｂは細長い軸状を呈し、軸部７００２Ｂから前方に突出する他方のリード線７６Ｂの端部と抵抗溶接により電気的に接続されている。
【００２９】
このようなランプ６６によれば、２つの給電部材７８Ａ、７８Ｂが図外の電源装置に接続され、電源装置から所定の電圧が一対の電極７２Ａ、７２Ｂに印加されると、２つの電極本体７２０４の間で放電が生じ、密閉空間７００６が高温となる。これにより水銀が気化し、密閉空間７００６が所定の水銀蒸気圧になると、２つの電極本体７２０４の間でアーク放電が発生し、白色光が発生する。
また、ランプ６６は、次の３箇所を重点的に冷却することが、ランプ６６を効率的に冷却する上で好ましく、したがって、ランプ６６の輝度の確保を図り、また、ランプ６６の寿命を延ばす上で好ましい箇所とされている。
すなわち、上記３箇所は、接続部７００４と、軸部７００２Ｂ内で封着金属箔７４Ｂとリード線７６Ｂとが接続された箇所と、軸部７００２Ｂから突出するリード線７６Ｂの端部と給電部材７８Ｂとが接続された箇所とである。
【００３０】
本実施の形態では、図４、図５に示すように、スカート部８２は、レフレクタ６８の中心軸を中心とする径方向の両端に位置し互いに対向する反射面８４の部分がスカート部８２の部分８２０２と共に切り取られた２つの欠部８６が形成されている。
図４に示すように、２つの欠部８６の輪郭は、円弧状の曲線、あるいは、楕円円周に沿って延在する曲線を呈している。
本実施の形態では、レフレクタ６８は２つの欠部８８を左右に向けて配置されている。
【００３１】
（ハウジング６４）
図３に示すように、ハウジング６４は、ランプ装置６２を収容するものである。
より詳細には、ハウジング６４は、レフレクタ６８を収容するに足る左右の幅と、上下の高さと、レフレクタ６８の中心軸と平行する長さとを有する筒状を呈している。
ハウジング６４は、レフレクタ６８のネック部８０に対向する後壁６４０２と、スカート部８２の反射面８４に対向する光出射用開口６４０６と、光出射用開口６４０６の周囲と後壁６４０２を接続する周壁６４０４とを有している。
レフレクタ６８は図示しない取り付け部材を介して周壁６４０４に取り付けられている。
光出射用開口６４０６は、光を透過する透明パネル８８で閉塞されている。
【００３２】
ハウジング６４に導入口９０と排出口９２とが設けられている。
導入口９０は、ランプ６６に向けて冷却用空気を導入するものである。
排出口９２は、ランプ６６を冷却したのちの排出用空気をハウジング６４外に排出するものである。
本実施の形態では、導入口９０と排出口９２は、レフレクタ６８のスカート部８２の前方の箇所で、かつ、幅方向において周壁６４０４が対向する２箇所に、すなわち周壁６４０４の左右の側部にそれぞれ設けられている。
【００３３】
本実施の形態では、周壁６４０４の側部に取り付け用開口９３が形成され、取り付け用開口９３は、レフレクタ６８の２つの欠部８６のうちの一方の欠部８６の前方の周壁６４０４の箇所に形成されている。
また、一方の欠部８６および導入口９０、他方の欠部８６および排出口９２を介してレフレクタ６８の前方のハウジング６４内の空間と、ハウジング６４外の空間とが連通している。
【００３４】
（導風部材９４）
図６は導風部材９４の斜視図、図７、図８はホルダ９６の斜視図、図９はホルダ９６の側面図、図１０は図９のＡ矢視図、図１１は図９のＢ矢視図、図１２は板部材９８の斜視図、図１３は板部材９８の平面図、図１４は図１３のＡ矢視図、図１５は図１４のＢ矢視図である。
【００３５】
導風部材９４は、ハウジング６４外の空気を冷却用空気としてハウジング６４内に導くものであり、導風部材９４は取り付け用開口９３を囲むようハウジング６４に取り付けられている。
そして、導入口９０が取り付け用開口９３に位置する導風部材９４の箇所に設けられている。
【００３６】
導入口９０は、第１、第２、第３の流路形成用開口９０Ａ、９０Ｂ、９０Ｃとを有している。
第１の流路形成用開口９０Ａは、接続部７００４に向かう冷却用空気の空気流を作るものである。
第２の流路形成用開口９０Ｂは、スカート部８２の内側に位置する軸部７００２Ｂの内部で封着金属箔７４Ｂとリード線７６Ｂとが接続された箇所に向かう冷却用空気の空気流を作るものである。
第３の流路形成用開口９０Ｃは、スカート部８２の内側に位置する軸部７００２Ｂから突出するリード線７６Ｂの端部と給電部材７８Ｂとが接続された箇所に向かう冷却用空気の空気流を作るものである。
【００３７】
図６に示すように、導風部材９４は、ホルダ９６と、板部材９８とを備えている。
ホルダ９６は、長方形の底壁９６Ａと、底壁９６Ａの２つの長辺からそれぞれ起立された２つの側壁９６Ｂとを有し、それら底壁９６Ａと２つの側壁９６Ｂにより内側に空間が形成されている。
図７、図９に示すように、底壁９６Ａの長手方向の一方を前方とし、他方を後方としたとき、底壁９６Ａの上面は、前方から後方に至るにつれて次第に上方に変位する第１の傾斜面９６０２を形成している。
本実施の形態では、第１の傾斜面９６０２と両側の側壁９６Ｂとにより導風路９７が形成されている。
【００３８】
図１１に示すように、底壁９６Ａの後端上部と、両側の側壁９６Ｂの上端とにわたり取り付け面９６０４が形成され、取り付け面９６０４がホルダ９６の上部の全長にわたって延在している。
また、図１０に示すように、底壁９６Ａの前端と、両側の側壁９６Ｂの前端とにわたり前端面９６０６が形成され、前端面９６０６がホルダ９６の前面の全長にわたって延在している。したがって、前端面９６０６の内側が、ハウジング６４外の空気を導風部材９４の内部に導く空気導入口９４０７となっている。
【００３９】
図８、図９、図１１に示すように、第１の傾斜面９６０２の後方に位置する取り付け面９６０４の箇所に、上方に突出し冷却用空気の空気流の流れを安定化させる導風片９６０８が形成されている。
導風片９６０８の上部に、後方に至るにつれて上方に変位する第２の傾斜面９６１０が形成されている。
図１１に示すように、導風片９６０８は、レフレクタ６８の欠部８８の縁に隙間無く係合するように平面視曲線状の輪郭を有している。
図９、図１１に示すように、両側の側壁９６Ｂ上に位置する取り付け面９６０４の導風路９７寄りの箇所に、板部材９８を載置するための載置部９６１２がそれぞれ前後方向に延在形成されている。
図９、図１１に示すように、両側の側壁９６Ｂの前部には、板部材９８の前部が挿入され保持される挿入溝９６１４が上下に延在形成されている。
また、図１１に示すように、２つの側壁９６Ｂの外面には、ホルダ９６をハウジング６４に取り付けるためのねじ挿通孔が形成された取り付け片９６２０がそれぞれ設けられている。
【００４０】
図６乃至図１５に示すように、板部材９８は、長方形板状の板金を長手方向の中間部で直角に折り曲げて形成されている。
図６、図１２、図１５に示すように、板部材９８の長手方向の前部９８０２には、空気取り込み用の小孔が多数形成されている。
なお、図６、図１５では図の簡略化を図るため空気取り込み用の小孔の一部のみを示しているが、図１２に示すように、小孔は前部９８０２の全体に形成されている。
この前部９８０２は上述のホルダ９６の挿入溝９６１４に挿入され保持される。
図６、図１２、図１３に示すように、板部材９８の長手方向の後部９８０４には、矩形状の切り欠き９８Ａと、矩形状の第２の流路形成用開口９０Ｂと、矩形状の第３の流路形成用開口９０Ｃとが長手方向に間隔をおいて並べられて形成されている。
後部９８０４の両側に屈曲片９８０５が形成されている。
この後部９８０４は、両側の側壁の載置部に載置され、屈曲片９８０５は載置部の外面に接触し、屈曲片９８０５により板部材９８の幅方向への移動が阻止される。
本実施の形態では、図６、図１２、図１４に示すように、第３の流路形成用開口９０Ｃに、冷却用空気の空気流の流れを安定化させる導風片９８１０が設けられている。
導風片９８１０は、第３の流路形成用開口９０Ｃの前縁部分に設けられ、後方に至るにつれて次第に上方に変位するように傾斜している。
【００４１】
板部材９８の後部９８０４をホルダ９６の載置部９６１２に載置すると共に、前部９８０２の両側を、ホルダ９６の２つの挿入溝９６１４に挿入することで板部材９８がホルダ９６に装着され導風部材９６の組み付けがなされる。
板部材９８が組み付けられた導風部材９６のハウジング６４への取り付けは次のようになされる。
導風部材９６の切り欠き９８Ａ、第２の流路形成用開口９０Ｂ、第３の流路形成用開口９０Ｃをハウジング６４の取り付け用開口９３に臨ませ、導風片９６０８を切り欠き８６内に挿入する。その状態で、取り付け片９６２０のねじ挿通孔に挿通したねじをハウジング６４のねじ孔に螺合する。
【００４２】
本実施の形態では、図３に示すように、第１の流路形成用開口９０Ａが切り欠き９８Ａと導風片９６０８（より詳細には、導風片９６０８の第２の傾斜面９６１０）とで構成され、第１の流路形成用開口９０Ａと第３の流路形成用開口９０Ｃが、それぞれ導風片９６０８、９８１０を備えていることになる。
【００４３】
次に作用について説明する。
図３に矢印Ｆ０で示すように、前方から導風部材９６に空気が送り込まれると、空気は、前部９８０２を通過し導風路９７を介して第１、第２、第３の流路形成用開口９０Ａ、９０Ｂ、９０Ｃからハウジング６４の内部に導入される。
すなわち、第１の流路形成用開口９０Ａから導入された空気は、矢印Ｆ１で示すように、接続部７００４に向かう冷却用空気の空気流となる。
そして、第１の流路形成用開口９０Ａから導入された空気は、接続部７００４に効果的に導かれ、接続部７００４に当たる風量の向上が図られる。
また、第２の流路形成用開口９０Ｂから導入された空気は、矢印Ｆ２で示すように、スカート部８２の内側に位置する軸部７００２Ｂの内部で封着金属箔７４Ｂとリード線７６Ｂとが接続された箇所に向かう冷却用空気の空気流となる。
そして、第２の流路形成用開口９０ｂから導入された空気は、スカート部８２の内側に位置する軸部７００２Ｂの内部で封着金属箔７４Ｂとリード線７６Ｂとが接続された箇所に効果的に導かれ、該箇所に当たる風量の向上が図られる。
また、第３の流路形成用開口９０Ｃから導入された空気は、矢印Ｆ３で示すように、スカート部８２の内側に位置する軸部７００２Ｂから突出するリード線７６Ｂの端部と給電部材７８Ｂとが接続された箇所に向かう冷却用空気の空気流となる。
そして、第３の流路形成用開口９０Ｃから導入された空気は、リード線７６Ｂの端部と給電部材７８Ｂとが接続された箇所に効果的に導かれ、リード線７６Ｂの端部と給電部材７８Ｂとが接続された箇所に当たる風量の向上が図られる。
この結果、ランプ６６のうち、重点的に冷却すべき３箇所に冷却用空気の空気流が導かれることにより、ランプ６６が冷却される。
【００４４】
本実施の形態によれば、第１、第２、第３の流路形成用開口９０Ａ、９０Ｂ、９０Ｃを設けるといった簡単な構成により、ランプ６６の特に重点的に冷却することが好ましい３箇所に冷却用空気の空気流が導かれるため、ランプ６６を効果的に冷却する上で有利となる。
したがって、ランプ６６を効果的に冷却することでランプ６６の輝度の確保および長寿命化を図る上で有利となり、プロジェクタ装置１０によって投影される画像の品質を長期間にわたって確保することができ、プロジェクタ装置１０の商品価値を高める上で有利となる。
【００４５】
なお、本実施の形態では、冷却効率を高めるため、第１、第３の流路形成用開口９０Ａ、９０Ｃに導風片９６０８、９８１０を設けた場合について説明したが、第１乃至第３の流路形成用開口９０Ａ、９０Ｂ、９０Ｃの少なくとも１つが、その開口の縁に設けられた導風片を含んで構成されていてもよい。
例えば、図１６に示すように、第１の流路形成用開口９０Ａにさらに導風片９８２０を設けてもよい。
すなわち、導風片９８２０は、切り欠き９８Ａに前縁部分に設けられ、後方に至るにつれて次第に上方に変位するように傾斜している。
導風片９８２０を設けると、第１の流路形成用開口９０Ａから導入された空気は、導風片９６０８、９８２０の双方に案内されることにより、接続部７００４により一層効果的に導かれ、接続部７００４に当たる風量の向上を図る上で有利となる。
【００４６】
（第１の比較例）
次に第１の比較例について説明する。
図１９は第１の比較例における光源装置６０の構成を示す説明図であり、以下の比較例においては、実施の形態と対応または同様の部分、部材には同一の符号を付して説明する。
第１の比較例は、板部材９８が前部９８０２のみで形成され、後部９８０４が設けられていない点が実施の形態としている。
したがって、前方から導風部材９６に空気が送り込まれると、空気は、前部９８０２を通過し導風路９７を介して導入口９０からハウジング６４の内部に導入される。
【００４７】
図１７は実施の形態の光源装置６０における空気流の風量を示す説明図、図１８は第１の比較例の光源装置６０における空気流の風量を示す説明図である。
図１７、図１８において、符号ａ、ｂ、ｃは風量の分布を示す線であり、符号ａは風量が高い部分、符号ｂは風量が中程度の部分、符号ｃは風量が低い部分を示す。
図１８に示す比較例では、導入口９０から導入された空気は、上記３箇所のうち、接続部７００４と、軸部７００２Ｂの内部で封着金属箔７４Ｂとリード線７６Ｂとが接続された箇所とに向かって流れているものの、リード線７６Ｂの端部と給電部材７８Ｂとが接続された箇所には、効果的に導かれていない。
これに対して、図１７に示す実施の形態では、第１、第２、第３の流路形成用開口９０Ａ、９０Ｂ、９０Ｃから導入された空気が、ランプ６６のうち特に重点的に冷却することが好ましい３箇所に効果的に導かれている。
したがって、実施の形態では、第１の比較例に比べて重点的に冷却することが好ましい３箇所を効果的に冷却する上で有利となっている。
【００４８】
（第２の比較例）
次に第２の比較例について説明する。
図２０は第２の比較例における光源装置６０の構成を示す説明図である。
第２の比較例は、第１の比較例においてホルダ９６の第１の傾斜面９６０２に上方に突出する突出壁９６を形成し、言い換えると、導風路９７内に空気の流れる方向を変える突出壁９６を設けたものである。
突出壁９６は、第１の傾斜面９６０２の前後方向の中間で幅方向に延在し、幅方向の両端と、ホルダ９６両側の側壁９６Ｂ（図１０）との間に隙間が形成されている。
したがって、第１の傾斜面９６０２と両側の側壁９６Ｂと突出壁９６により導風路９７が形成されている。
このような突出壁９６を設けることにより、前方から導風部材９６に空気が送り込まれると、空気の一部は、前部９８０２を通過し突出壁９６によって上方に導かれ導入口９０からハウジング６４の内部に導入される。また、残りの空気は、両側の側壁９６Ｂと突出壁９６の隙間を通過して導入口９０からハウジング６４の内部に導入される。
したがって、突出壁９６によって上方に導かれた空気が、リード線７６Ｂの端部と給電部材７８Ｂとが接続された箇所に導かれる。
リード線７６Ｂの端部と給電部材７８Ｂとが接続された箇所の温度測定結果を実施の形態と第２の比較例とで比較すると、以下の通りである。
本実施の形態：３４０度
第２の比較例：４００度
したがって、実施の形態では、第２の比較例に比べてリード線７６Ｂの端部と給電部材７８Ｂとが接続された箇所を効果的に冷却する上で有利となっている。
【００４９】
（第３の比較例）
次に第３の比較例について説明する。
図２１は第３の比較例における光源装置６０の構成を示す説明図である。
第３の比較例では、実施の形態における板部材９８の前部９８０２を省き、板部材９８を後部９８０４のみで構成したものである。
すなわち、ホルダ９６の前端面９６０６（図６）の内側に板部材９８の後部９８０４と同一面積を有する空気導入口９４０７が形成されることになる。
接続部７００４の温度測定結果を実施の形態と第３の比較例とで比較すると、以下の通りである。
本実施の形態：９５０度
第３の実施の形態：９００度
リード線７６Ｂの端部と給電部材７８Ｂとが接続された箇所の温度測定結果を実施の形態と第３の比較例とで比較すると、以下の通りである。
本実施の形態：３４０度
第３の実施の形態：３８０度
したがって、本実施の形態は、第３の比較例に比べて、接続部７００４を冷却する効果が若干低下するものの、リード線７６Ｂの端部と給電部材７８Ｂとが接続された箇所を冷却する効果が高いことがわかる。
これは、板部材９８の前部９８０２に多数形成された空気取り込み用の小孔により、空気が整流され、これにより、第２の流路形成用開口９０Ｂから導入された空気が、ランプ６６のリード線７６Ｂの端部と給電部材７８Ｂとが接続された箇所に対して効果的に導かれたものと考えられる。
【図面の簡単な説明】
【００５０】
【図１】本実施の形態のプロジェクタ装置１０の構成を示す説明図である。
【図２】本実施の形態のプロジェクタ装置１０の要部の構成を示す説明図である。
【図３】光源装置６０の構成を示す説明図である。
【図４】ランプ装置６２の断面図である。
【図５】図４のＡ矢視図である。
【図６】導風部材９４の斜視図である。
【図７】ホルダ９６の斜視図である。
【図８】ホルダ９６の斜視図である。
【図９】ホルダ９６の側面図である。
【図１０】図９のＡ矢視図である。
【図１１】図９のＢ矢視図である。
【図１２】板部材９８の斜視図である。
【図１３】板部材９８の平面図である。
【図１４】図１３のＡ矢視図である。
【図１５】図１４のＢ矢視図である。
【図１６】第１の流路形成用開口９０Ａにさらに導風片９８２０を設けた光源装置６０の構成を示す説明図である。
【図１７】実施の形態の光源装置６０における空気流の風量を示す説明図である。
【図１８】第１の比較例の光源装置６０における空気流の風量を示す説明図である。
【図１９】第１の比較例における光源装置６０の構成を示す説明図である。
【図２０】第２の比較例における光源装置６０の構成を示す説明図である。
【図２１】第３の比較例における光源装置６０の構成を示す説明図である。
【符号の説明】
【００５１】
１０……プロジェクタ装置、１２……光源、１４……分離部、１６Ｒ、１６Ｇ、１６Ｂ……光変調器、１８……光合成部、２３……投射光学系、６０……光源装置、６２……ランプ装置、６４……ハウジング、６６……ランプ、６８……レフレクタ、７０……放電容器、７００２Ａ、７００２Ｂ……軸部、７００４……接続部、７００６……密閉空間、７２Ａ、７２Ｂ……電極、７４Ａ、７４Ｂ……封着金属箔、７６Ａ、７６Ｂ……リード線、７８Ａ、７８Ｂ……給電部材、８０……ネック部、８２……スカート部、９０……導入口、９２……排出口、９０Ａ……第１の流路形成用開口、９０Ｂ……第２の流路形成用開口、９０Ｃ……第３の流路形成用開口。
【図１】
2010129350.tif 000003
【図２】
2010129350.tif 000004
【図３】
2010129350.tif 000005
【図４】
2010129350.tif 000006
【図５】
2010129350.tif 000007
【図６】
2010129350.tif 000008
【図７】
2010129350.tif 000009
【図８】
2010129350.tif 000010
【図９】
2010129350.tif 000011
【図１０】
2010129350.tif 000012
【図１１】
2010129350.tif 000013
【図１２】
2010129350.tif 000014
【図１３】
2010129350.tif 000015
【図１４】
2010129350.tif 000016
【図１５】
2010129350.tif 000017
【図１６】
2010129350.tif 000018
【図１７】
2010129350.tif 000019
【図１８】
2010129350.tif 000020
【図１９】
2010129350.tif 000021
【図２０】
2010129350.tif 000022
【図２１】
2010129350.tif 000023